(57)【特許請求の範囲】
【請求項１】
相対向する一対の縦枠と、
前記一対の縦枠の上端部で折り返して前記一対の縦枠に沿って移動する開閉可能なスクリーンと、
前記スクリーンの上端部に連結されて前記一対の縦枠に沿って移動する上桟と、
前記スクリーンの下端部に連結されて前記一対の縦枠に沿って移動する下桟と、
を備えたスクリーン装置であって、
前記一対の縦枠の上端部に設けられて前記スクリーンの両側部のそれぞれが巻き掛けられ、前記上桟と前記下桟の間で、前記スクリーンの両側部を前記スクリーンとともに折り返す一対の折り返し部材と、
前記一対の縦枠に設けられて、前記一対の縦枠に沿って移動する前記上桟の両端部をガイドするとともに、前記上桟の揺動を許容する上桟ガイドと、
を備えたスクリーン装置。
【請求項２】
請求項１に記載されたスクリーン装置において、
前記一対の折り返し部材は、前記スクリーンを閉じたときに、前記上桟に当接して前記上桟を停止させる当接部を有するスクリーン装置。
【請求項３】
請求項１又は２に記載されたスクリーン装置において、
前記一対の折り返し部材は、前記スクリーンの両側部のそれぞれを通過させてガイドする通路部を有するスクリーン装置。
【請求項４】
請求項３に記載されたスクリーン装置において、
前記一対の縦枠に設けられて、前記一対の折り返し部材と前記下桟との間の前記スクリーンの両側部のそれぞれを保持しつつ移動させるスクリーン移動部を備え、
前記一対の折り返し部材の通路部は、前記スクリーンの両側部のそれぞれを前記スクリーン移動部に向かってガイドするスクリーン装置。
【請求項５】
請求項１ないし４のいずれかに記載されたスクリーン装置において、
前記上桟ガイドは、前記上桟の端部を収容してガイドする溝部と、前記溝部を区画する一対の壁部と、を有し、前記上桟の端部が一方の前記壁部に接触した状態で、他方の前記壁部と前記上桟の端部との間に隙間が形成されるスクリーン装置。
【請求項６】
請求項１ないし５のいずれかに記載されたスクリーン装置において、
前記下桟を保持して前記スクリーンを閉じた状態に維持する下桟保持部を備えたスクリーン装置。
【請求項７】
請求項１ないし６のいずれかに記載されたスクリーン装置において、
前記上桟は、両端部に設けられて前記上桟ガイドによりガイドされる上桟キャップを有するスクリーン装置。
【発明の詳細な説明】
【技術分野】
【０００１】
本発明は、開閉可能なスクリーンを備えたスクリーン装置に関する。
【背景技術】
【０００２】
開閉窓等の建物の開口部に、防虫、目隠し、遮光等を目的として、スクリーン装置を設置することが行われている。スクリーン装置のスクリーンは、例えば、ネット、布、又は、シートであり、ユーザの開閉操作により開閉される。また、従来、スクリーンの全体を開閉するスクリーン装置の他に、枠内でスクリーンを移動させてスクリーンの一部を開閉するスクリーン装置も使用されている。このスクリーンの一部を開閉するスクリーン装置として、従来、スクリーンを折り返しボックス内の巻き掛け部材に巻き掛けて折り返させ、スクリーンの両端の２つの桟を一対のガイド枠の桟ガイド内で摺動させて、スクリーンを移動させる摺動式スクリーン装置が知られている（特許文献１参照）。
【０００３】
ところが、特許文献１に記載された従来のスクリーン装置では、スクリーンを折り返して移動させるために、折り返しボックスが、一対のガイド枠の上端部に取り付けられ、巻き掛け部材が、開放された折り返しボックス内に収容されて折り返しボックスに取り付けられる。そのため、スクリーンの開閉に要する部品の数が多くなり、スクリーン装置の構造が複雑になる。また、２つの桟は、２条の桟ガイドのそれぞれの内部で摺動してガイドされる。これに伴い、２つの桟が桟ガイドに引っ掛かり、或いは、２つの桟が桟ガイドから抵抗を受ける等して、スクリーンの円滑な開閉が妨げられる虞もある。
【先行技術文献】
【特許文献】
【０００４】
【特許文献１】特許第５１４５２６７号公報
【発明の概要】
【発明が解決しようとする課題】
【０００５】
本発明は、前記従来の問題に鑑みなされたもので、その目的は、折り返して移動する開閉可能なスクリーン装置のスクリーンを簡易かつ円滑に開閉することである。
【課題を解決するための手段】
【０００６】
本発明は、相対向する一対の縦枠と、前記一対の縦枠の上端部で折り返して前記一対の縦枠に沿って移動する開閉可能なスクリーンと、前記スクリーンの上端部に連結されて前記一対の縦枠に沿って移動する上桟と、前記スクリーンの下端部に連結されて前記一対の縦枠に沿って移動する下桟と、を備えたスクリーン装置である。スクリーン装置は、前記一対の縦枠の上端部に設けられて前記スクリーンの両側部のそれぞれが巻き掛けられ、前記上桟と前記下桟の間で、前記スクリーンの両側部を前記スクリーンとともに折り返す一対の折り返し部材と、前記一対の縦枠に設けられて、前記一対の縦枠に沿って移動する前記上桟の両端部をガイドするとともに、前記上桟の揺動を許容する上桟ガイドと、を備える。
【発明の効果】
【０００７】
本発明によれば、折り返して移動する開閉可能なスクリーン装置のスクリーンを簡易かつ円滑に開閉することができる。
【図面の簡単な説明】
【０００８】
【図１】本実施形態のスクリーン装置の正面図である。
【図２】本実施形態のスクリーン装置の正面図である。
【図３】本実施形態のスクリーン装置におけるスクリーンの開閉について説明するための模式図である。
【図４】本実施形態のスクリーン装置と開閉窓を示す断面図である。
【図５】本実施形態のスクリーン装置と開閉窓を示す断面図である。
【図６】図４のＹ１部を示す断面図である。
【図７】図４のＹ２部を示す断面図である。
【図８】図５のＹ３部を示す断面図である。
【図９】本実施形態の下桟キャップと下桟保持部を示す図である。
【図１０】本実施形態の折り返し部材を示す図である。
【図１１】図１０に示す折り返し部材を分解して示す斜視図である。
【図１２】本実施形態のスクリーン装置におけるスクリーンを開くときの動作を順に示す図である。
【発明を実施するための形態】
【０００９】
本発明のスクリーン装置の一実施形態について、図面を参照して説明する。
本実施形態のスクリーン装置は、スクリーンの一部が開閉する開口部用のスクリーン装置であり、スクリーンにより開口部の一部を開閉する。以下では、スクリーン装置が建物開口部用の網戸である場合を例にとり、開閉可能なスクリーン装置について説明する。
【００１０】
図１、図２は、本実施形態のスクリーン装置１の正面図であり、図２は、図１の反対側からみたスクリーン装置１を示している。
図示のように、スクリーン装置１は、窓枠１０に取り付けられて、窓枠１０内の開口部１１に配置される。窓枠１０は、方形状の開口枠であり、枠組みされた窓上枠１２、窓下枠１３、及び、一対の窓縦枠１４からなる。スクリーン装置１のスクリーン２により、開口部１１の全体が閉鎖されるとともに、開口部１１の一部が開閉される。
【００１１】
スクリーン装置１は、開閉可能な矩形状のスクリーン２と、窓枠１０に取り付けられたスクリーン枠３と、スクリーン２と一体に移動する２つの可動桟（上桟４、下桟５）を備えている。スクリーン枠３は、窓上枠１２に固定される上枠２０と、一対の窓縦枠１４に固定される左右の縦枠（一対の縦枠２１）を有する。上枠２０は、一対の縦枠２１の上端部に連結されて、開口部１１の上端部に沿って左右方向に延びる。
【００１２】
一対の縦枠２１は、上桟４と下桟５をガイドするガイド枠であり、開口部１１の左右に相対向して配置され、それぞれ開口部１１の側部に沿って上下方向に延びる。スクリーン２は、網戸のネット部であり、一対の縦枠２１の間に配置されて、一対の縦枠２１の間に位置する開口部１１の一部を開閉する。上桟４は、スクリーン２の上端部２Ａ（図２参照）に連結される第１可動桟であり、下桟５は、スクリーン２の下端部２Ｂに連結される第２可動桟である。
【００１３】
スクリーン２の上端部２Ａと下端部２Ｂは、それぞれ閉じた状態（図１、図２に示す状態）のスクリーン２の上方の一端部と下方の他端部である。スクリーン２を閉じた状態で、上桟４は、一対の縦枠２１の上端部の間に、かつ、上枠２０により遮蔽される位置に配置され、下桟５は、一対の縦枠２１の下端部の間に、かつ、開口部１１の下端部に沿って配置される。スクリーン２の開閉時に、上桟４と下桟５は、それぞれスクリーン２の上端部２Ａと下端部２Ｂを保持して、一対の縦枠２１に沿って移動する。
【００１４】
図３は、本実施形態のスクリーン装置１におけるスクリーン２の開閉について説明するための模式図であり、スクリーン装置１の一部を示している。また、図３Ａは、スクリーン２が閉じたスクリーン装置１を示し、図３Ｂは、スクリーン２が開いたスクリーン装置１を示している。
図示のように、スクリーン２は、一対の縦枠２１の上端部で折り返して、上桟４及び下桟５とともに一対の縦枠２１に沿って移動して、開閉される。その際、上桟４と下桟５は、スクリーン２に張力を付加した状態で、一対の縦枠２１に沿って互いに反対方向に移動する。また、上桟４と下桟５は、一対の縦枠２１により、一対の縦枠２１の長手方向（ここでは、上下方向）にガイドされて上下方向に移動する。
【００１５】
スクリーン２を閉じた状態では（図３Ａ参照）、上桟４は、一対の縦枠２１（及び、開口部１１）の上端部に配置され、下桟５は、一対の縦枠２１（及び、開口部１１）の下端部に配置される。スクリーン２は、上桟４と下桟５の間に配置されて開口部１１で展開し、開口部１１を閉鎖する。スクリーン２を開いた状態では（図３Ｂ参照）、上桟４と下桟５は、一対の縦枠２１の長手方向の中間部に配置され、上下にずれた位置で隣接する。スクリーン２は、上桟４と下桟５の間で折り返されて、開口部１１の一部を開放する。ここでは、スクリーン２により、開口部１１の下側部分が開閉され、開口部１１の上側部分が閉鎖された状態に維持される。
【００１６】
下桟５は、スクリーン２の開閉操作に用いられる操作用の桟（操作桟）であり、上桟４は、スクリーン２の移動に追従して移動する追従用の桟（追従桟）である。取手５Ａが、下桟５の長手方向の中央部に設けられて、下桟５から突出する。ユーザは、取手５Ａを持って、下桟５を一対の縦枠２１に沿って上下方向に移動させて、スクリーン２を開閉する。スクリーン２を開くときには、下桟５が持ち上げられて上方に移動し、スクリーン２を閉じるときには、下桟５が押し下げられて下方に移動する。
【００１７】
下桟５の上方への移動に伴い、上桟４は、自重で下方に移動して、スクリーン２を下方に引っ張る。スクリーン２は、折り返した状態で、下桟５及び上桟４の移動方向に移動して、次第に開かれる。下桟５の下方への移動に伴い、スクリーン２は、下桟５により下方に引っ張られて、上桟４を上方に引っ張る。これにより、上桟４は、上方に移動し、スクリーン２は、下桟５及び上桟４の移動方向に移動して、次第に閉じられる。下桟５は（図１参照）、下方に突出する遮蔽部５Ｂを有し、スクリーン２を閉じた状態で、遮蔽部５Ｂにより、下桟５と窓下枠１３の間の隙間を遮蔽する。
【００１８】
図４、図５は、本実施形態のスクリーン装置１と開閉窓１５を示す断面図であり、図４は、図１のＸ１−Ｘ１線で切断したスクリーン装置１を示している。図５Ａは、図２のＸ２−Ｘ２線で切断したスクリーン装置１を示し、図５Ｂは、スクリーン２の上端部２Ａ、下端部２Ｂ、及び、側部２Ｃを示している。
図示のように、開閉窓１５は、窓枠１０と、窓枠１０内に配置されて窓枠１０に開閉可能に連結された障子１６を備えている。ここでは、障子１６は、開口部１１を閉鎖する状態から、室内側Ｒに開く。スクリーン装置１は、障子１６の室外側Ｓに配置され、スクリーン２は、障子１６の室外側Ｓで開閉される。
【００１９】
スクリーン２は、矩形状のスクリーン本体（ここでは、ネット）２Ｈと、スクリーン本体２Ｈの４つの縁部に取り付けられたファスナ半体（線ファスナの片側部分）２２を有する（図５Ｂ参照）。スクリーン２の上端部２Ａ、下端部２Ｂ、及び、両側部２Ｃに、ファスナ半体２２が設けられて、ファスナ半体２２の複数のエレメント（務歯）２３が並列する。スクリーン装置１は、上桟４、下桟５、及び、一対の縦枠２１のそれぞれに取り付けられた合成樹脂製のインナーレール２４を備え、インナーレール２４により、ファスナ半体２２を咥えて保持する。インナーレール２４は、スクリーン２の保持部材であり、ファスナ半体２２を保持することで、スクリーン２の上端部２Ａ、下端部２Ｂ、及び、両側部２Ｃのそれぞれを保持する。
【００２０】
図６は、図４のＹ１部を示す断面図であり、上桟４の周辺を示している。
図示のように、インナーレール２４は、上桟４の収容溝４Ａ内に収容されて、上桟４に保持される。スクリーン２（ファスナ半体２２）は、インナーレール２４のスリット２５を通してインナーレール２４内まで配置され、ファスナ半体２２のエレメント２３は、インナーレール２４の中空部２６内に収容される。スリット２５と中空部２６は、インナーレール２４の長手方向の全体に渡って形成されている。エレメント２３はスリット２５を通過できず、これにより、スクリーン２の上端部２Ａがインナーレール２４に保持される。スクリーン２の上端部２Ａは、縦枠２１の上端部で室内側Ｒに屈曲して、インナーレール２４により上桟４に保持される。
【００２１】
図７は、図４のＹ２部を示す断面図であり、下桟５の周辺を示している。
図示のように、インナーレール２４は、下桟５の収容溝５Ｃ内に収容されて、下桟５に保持される。スクリーン２の下端部２Ｂは、インナーレール２４に保持されるとともに、インナーレール２４により下桟５に保持される。
【００２２】
図８は、図５のＹ３部を示す断面図であり、一方の縦枠２１の周辺を示している。また、図８では、上桟４の端部４Ａを点線で示している。
図示のように、インナーレール２４は、縦枠２１の収容溝２１Ａ内に収容されて、縦枠２１に保持される。スクリーン２の開閉時に、スクリーン２の側部２Ｃは、インナーレール２４に保持された状態で、スリット２５によりガイドされて、スリット２５の長手方向に移動する。インナーレール２４により、スクリーン２の側部２Ｃは、縦枠２１に保持されて、縦枠２１に沿って移動する。このように、インナーレール２４のスリット２５は、縦枠２１に設けられたスクリーン移動部２７であり、スクリーン２の側部２Ｃを保持しつつ移動させて、側部２Ｃをガイドする。
【００２３】
縦枠２１は、下桟５の端部５Ｄをガイドする下桟ガイド２８と、上桟４の端部４Ａをガイドする上桟ガイド３０を有する。下桟ガイド２８と上桟ガイド３０は、縦枠２１に形成されたガイド溝であり、縦枠２１のスクリーン２側の部分に並列して形成されて、縦枠２１に沿って延びる。スクリーン移動部２７（収容溝２１Ａ）は、下桟ガイド２８に隣接して設けられて、下桟ガイド２８の底部に繋がる。下桟ガイド２８は、一対の縦枠２１の長手方向に沿って設けられて、スクリーン２の開閉時に、一対の縦枠２１に沿って移動する下桟５の長手方向の両端部５Ｄをガイドする。
【００２４】
下桟５の両端部５Ｄは、下桟ガイド２８内に配置されて、下桟ガイド２８を摺動する。同時に、スクリーン２の両側部２Ｃは、スクリーンガイドである一対の縦枠２１のスクリーン移動部２７によりガイドされて、下桟５とともに移動する。下桟５は、両端部５Ｄに設けられた下桟キャップ４０を有し、一対の縦枠２１の下桟ガイド２８は、下桟５の両端部５Ｄの下桟キャップ４０をガイドする。下桟キャップ４０は、下桟ガイド２８内を摺動する摺動部４１と、下桟キャップ４０を下桟ガイド２８に係止する係止部４２を有し、下桟５の端面に装着される。スクリーン２を閉じたときに、下桟５は、下桟キャップ４０により、下桟ガイド２８内に位置する下桟保持部に保持される。
【００２５】
図９は、本実施形態の下桟キャップ４０と下桟保持部４６を示す図である。図９Ａは、下桟キャップ４０の斜視図であり、図９Ｂは、縦枠２１を透視して下桟保持部４６を示す斜視図である。図９Ｃは、下桟保持部４６に保持された下桟キャップ４０の断面図である。
図示のように、下桟保持部４６は、縦枠キャップ４７に形成されて、縦枠キャップ４７から上方に突出する。縦枠キャップ４７が縦枠２１の下端部に装着されて、下桟保持部４６が縦枠２１の下桟ガイド２８内に配置される。下桟キャップ４０は、摺動部４１に形成された被保持部４３を有し（図９Ｃ参照）、下桟保持部４６は、下桟キャップ４０の被保持部４３を係止して保持する。
【００２６】
下桟保持部４６は、弾性変形可能なフック状の係止部（係止フック）であり、スナップフィットにより、下桟キャップ４０の被保持部４３を係止する。下桟５の下方への移動により、下桟保持部４６の先端の係止凸部４８が被保持部４３の係止凹部４４内に入り、下桟保持部４６が下桟キャップ４０（被保持部４３）及び下桟５を係止する。また、下桟５の上方への移動により、下桟保持部４６の係止凸部４８が被保持部４３の係止凹部４４から外れて、下桟保持部４６による下桟キャップ４０及び下桟５の係止が解除される。下桟保持部４６は、一対の縦枠２１の下端部に設けられて、下桟５が一対の縦枠２１の下端部まで移動したときに、下桟５の両端部５Ｄ（下桟キャップ４０）を係止して保持する。
【００２７】
下桟５の上下方向の移動に伴い、下桟保持部４６は、下桟５を保持し、或いは、下桟５の保持を解除する。スクリーン２を閉じたときに、下桟保持部４６は、一対の縦枠２１の下方に移動した下桟５を保持して、スクリーン２を閉じた状態に維持する。スクリーン２を開くときには、下桟保持部４６が下桟５の保持を解除し、下桟５が一対の縦枠２１の上方に移動する。
【００２８】
上桟ガイド３０（図６、図８参照）は下桟ガイド２８の室内側Ｒに設けられており、上桟ガイド３０と下桟ガイド２８は平行に形成されている。上桟ガイド３０は、一対の縦枠２１の長手方向に沿って設けられて、スクリーン２の開閉時に、一対の縦枠２１に沿って移動する上桟４の長手方向の両端部４Ａをガイドする。上桟ガイド３０の幅は、上桟４の端部４Ａよりも広くなっており、上桟ガイド３０は、上桟４の端部４Ａ及び上桟４の揺動を許容する。スクリーン２の開閉時に、上桟４は、スクリーン２から受ける力、自重、重心等に対応して、室内側Ｒ又は室外側Ｓ（内外方向）に揺動可能であり、揺動に伴い姿勢を変更する。上桟４の両端部４Ａは、一対の縦枠２１の上桟ガイド３０に揺動可能に配置されて、上桟ガイド３０に保持される。また、上桟４の両端部４Ａは、上桟ガイド３０内で内外方向に変位可能であり、上桟４は両端部４Ａとともに内外方向に変位する。
【００２９】
具体的には、上桟ガイド３０は、凹状に形成された溝部３１と、溝部３１を区画する一対の壁部３２、３３を有する。溝部３１は、上桟４の端部４Ａを収容して、一対の縦枠２１に沿って移動する上桟４の端部４Ａをガイドする。一対の壁部３２、３３は、溝部３１の幅方向の両側部に位置する溝部３１の側壁部（溝壁部）であり、縦枠２１に並列して形成されて、相対向する。また、一対の壁部３２、３３は、縦枠２１の長手方向に沿って設けられて平行に形成され、互いの間に、上桟４の端部４Ａの移動路である溝部３１を区画する。溝部３１内で（図８参照）、上桟４の端部４Ａが一方の壁部３２、３３に接触した状態で、他方の壁部３２、３３と上桟４の端部４Ａとの間に、上桟４の端部４Ａが変位可能な隙間が形成される。
【００３０】
上桟４は、両端部４Ａに設けられた上桟キャップ３５を有し、一対の縦枠２１の上桟ガイド３０は、上桟４の両端部４Ａの上桟キャップ３５をガイドする。上桟キャップ３５は、上桟４の長手方向の外側に突出する突起部３６を有し、上桟４の端面に装着される。上桟キャップ３５の突起部３６は、上桟ガイド３０内に配置されて、上桟ガイド３０によりガイドされる。
【００３１】
スクリーン装置１は、上桟４と下桟５に向かってスクリーン２を折り返す一対の折り返し部材５０を備えている（図６参照）。一対の折り返し部材５０は、それぞれ一対の縦枠２１の上端部に設けられて、スクリーン２の両側部２Ｃのそれぞれが巻き掛けられる。ここでは、スクリーン２の側部２Ｃのみが折り返し部材５０に巻き掛けられる。上桟４と下桟５の間で、一対の折り返し部材５０は、それぞれスクリーン２の側部２Ｃを保持しつつガイドし、スクリーン２の両側部２Ｃをスクリーン２とともに折り返させる。
【００３２】
図１０は、本実施形態の折り返し部材５０を示す図であり、縦枠２１の端面に装着された折り返し部材５０を示している。図１０Ａは、折り返し部材５０の斜視図であり、図１０Ｂは、図１０Ａの矢印Ｚ１方向からみた折り返し部材５０の側面図である。図１０Ｂでは、縦枠２１の断面を示すとともに、スクリーン２を点線で示している。
図１１は、図１０に示す折り返し部材５０を分解して示す斜視図である。図１１Ａは、図１０Ａの矢印Ｚ２方向からみた折り返し部材５０のベース部材５１を示し、図１１Ｂは、図１０Ａの矢印Ｚ３方向からみた折り返し部材５０のカバー部材６０を示している。
【００３３】
図示のように、折り返し部材５０は、縦枠２１に取り付けられるベース部材５１と、ベース部材５１に取り付けられるカバー部材６０を有する。ベース部材５１は、上方に突出する板状の巻き掛け部５２と、巻き掛け部５２の先端部に形成された凹状のガイド部５３と、上桟４に当接する当接部５４を有する。カバー部材６０は、巻き掛け部５２の一部との間に隙間を形成した状態で、巻き掛け部５２の一部を覆い、巻き掛け部５２の一部との間に、スクリーン２が通過可能な通路部（隙間部）６１を形成する。スクリーン２の側部２Ｃは、通路部６１を通って、折り返し部材５０の巻き掛け部５２に巻き掛けられる。ガイド部５３は、通路部６１の上端部に位置し、巻き掛けられたスクリーン２の側部２Ｃを保持してガイドする。
【００３４】
スクリーン２の移動に伴い、スクリーン２の側部２Ｃは、通路部６１を上桟４側又は下桟５側に通過し、巻き掛け部５２の先端部で折り返す。その際、ファスナ半体２２のエレメント２３は、ガイド部５３内に位置し、ガイド部５３内に保持されて、ガイド部５３によりガイドされる。これにより、折り返し部材５０は、スクリーン２の側部２Ｃを保持してガイドする。スクリーン２の両側部２Ｃは、それぞれ折り返し部材５０により折り返し方向に折り返される。同時に、両側部２Ｃの間のスクリーン２は、両側部２Ｃの折り返しに合わせて屈曲して、両側部２Ｃの折り返し方向に折り返される。
【００３５】
一対の折り返し部材５０は、スクリーン２の両側部２Ｃのそれぞれを通過させてガイドする通路部６１を有する。通路部６１により、スクリーン２の両側部２Ｃは、折り返し位置、又は、移動経路にガイドされる。ここでは、通路部６１は、縦枠２１のスクリーン移動部２７の上方に位置し、スクリーン移動部２７に向かって形成されている。一対の折り返し部材５０の通路部６１は、スクリーン２の両側部２Ｃのそれぞれをスクリーン移動部２７に向かってガイドする。
【００３６】
スクリーン２を閉じるときに、スクリーン２の両側部２Ｃは、通路部６１から一対の縦枠２１に設けられたスクリーン移動部２７に向かって移動して、スクリーン移動部２７内に入る。スクリーン２の開閉時に、一対の縦枠２１のスクリーン移動部２７は、一対の折り返し部材５０と下桟５との間のスクリーン２の両側部２Ｃをそれぞれ保持しつつ移動させる。スクリーン２を開くときには、スクリーン２の両側部２Ｃは、スクリーン移動部２７から通路部６１に向かって移動して、通路部６１内に入る。
【００３７】
図１２は、本実施形態のスクリーン装置１におけるスクリーン２を開くときの動作を順に示す図であり、スクリーン装置１の上桟４を含む部分を模式的に示している。
図示のように、上桟４は、上桟キャップ３５に形成された当接部３７を有し、当接部３７で折り返し部材５０の当接部５４に当接する。スクリーン２を閉じたときに（図１２Ａ参照）、上桟４は、縦枠２１の上端部まで移動し、一対の折り返し部材５０の当接部５４は、上桟４に当接して上桟４を停止させる。その状態で、上桟４は、折り返し部材５０の室内側Ｒで、スクリーン２の上端部２Ａを保持して、スクリーン２を閉じた状態に維持する。
【００３８】
スクリーン２を開くときには（図１２Ｂ〜図１２Ｆ参照）、下桟５及びスクリーン２の移動に対応して、上桟４が、折り返したスクリーン２を引っ張りながら、次第に下方に移動する。その際、縦枠２１の上桟ガイド３０は、上桟４を揺動可能にガイドして、上桟４を一対の縦枠２１に沿って移動させる。上桟４は、移動し易い状態（姿勢）に揺動して円滑に移動する。このように、揺動により、上桟４の姿勢は、折り返し部材５０に当接した停止姿勢と、スクリーン２の開閉時における移動姿勢とに変更可能になっている。上桟４が上桟ガイド３０によりガイドされるときに、上桟４が揺動して、上桟４の姿勢が変更される。スクリーン２を閉じるときにも、揺動及び姿勢の変更により、上桟４は、移動し易い状態（姿勢）で、上桟ガイド３０によりガイドされて移動する。
【００３９】
縦枠２１の下桟ガイド２８が設けられた部分では、下桟ガイド２８とスクリーン移動部２７とが並べて設けられて、下桟５の端部５Ｄのガイドとスクリーン２の側部２Ｃのガイドが同時に行われる。これに対し、縦枠２１の上桟ガイド３０が設けられた部分では、スクリーン移動部２７が設けられておらず、上桟４の端部４Ａのガイドのみが行われる。折り返し部材５０と上桟４との間で、スクリーン２の両側部２Ｃは、一対の縦枠２１の上桟ガイド３０の外部に位置し、スクリーン移動部２７等によりガイドされずに、上桟４とともに移動する。
【００４０】
上桟ガイド３０の一対の壁部３２、３３は、上桟４の端部４Ａ（突起部３６）の室外側Ｓ（下桟ガイド２８側）に位置する第１壁部３２と、上桟４の端部４Ａの室内側Ｒ（下桟ガイド２８の反対側）に位置する第２壁部３３からなる。上桟４の端部４Ａは、第１壁部３２と第２壁部３３の間の溝部３１内に配置されて、第１壁部３２と第２壁部３３により内外方向の変位が規制される。また、第１壁部３２は、スクリーン２の開閉時に、上桟４の端部４Ａをガイドするガイド壁であり、一対の縦枠２１に沿って移動する上桟４の端部４Ａに接触して、上桟４の端部４Ａをガイドする。第２壁部３３は、スクリーン２の開閉時に、上桟４の端部４Ａが溝部３１から外れるのを防止する防止壁であり、上桟４の端部４Ａの溝部３１外への変位を規制する。
【００４１】
スクリーン２の開閉時に、上桟４の端部４Ａは、第２壁部３３に接触せずに、第１壁部３２によりガイドされて、溝部３１内で縦枠２１に沿って移動する。その際、上桟４の端部４Ａが上桟ガイド３０に引っ掛かるのが抑制され、かつ、上桟４の端部４Ａは第１壁部３２のみから抵抗を受ける。スクリーン２を閉じたときには、上桟４の端部４Ａは、溝部３１内に位置し、上桟ガイド３０によるガイドが可能な位置に配置される。
【００４２】
以上説明した本実施形態のスクリーン装置１では、スクリーン２の開閉に要する構造を単純にして、スクリーン２を簡易かつ円滑に開閉することができる。また、一対の折り返し部材５０により、スクリーン２を折り返すだけでなく、上桟４を停止させて、スクリーン２を閉じた状態に維持することができる。一対の折り返し部材５０の通路部６１により、スクリーン２の両側部２Ｃをガイドして、スクリーン２を確実に折り返すことができ、スクリーン２の両側部２Ｃをスクリーン移動部２７に向かって正確かつ円滑に移動させることもできる。上桟４の端部４Ａを一対の壁部３２、３３の間で確実に揺動させて、スクリーン２を円滑に開閉することができる。
【００４３】
なお、スクリーン装置１は、様々な窓の窓枠１０に設けることができ、窓の種類に応じて、障子１６の室内側Ｒ又は室外側Ｓに配置される。また、スクリーン装置１は、窓枠１０の開口部１１以外の開口部に設けてもよい。スクリーン装置１のスクリーン２は、ネット以外の開閉可能な部材（例えば、布、シート）であってもよい。折り返し部材５０のベース部材５１にカバー部材６０を取り付けずに、ベース部材５１のみを折り返し部材５０として用いるようにしてもよい。このようにしても、スクリーン装置１の実施が可能であり、スクリーン２の側部２Ｃを巻き掛け部５２に巻き掛けて折り返し部材５０により折り返すことができる。
【００４４】
スクリーン２を開くときに、上桟４を押し下げて下方に移動させ、スクリーン２を閉じるときに、下桟５を押し下げて下方に移動させてもよい。この場合には、上桟４と下桟５は、スクリーン２の開閉操作に用いられる操作桟であり、かつ、操作桟とスクリーン２の移動に追従して移動する追従桟でもある。スクリーン２を開くときには、上桟４を下方に移動させて、上桟４により、スクリーン２を下方に引っ張る。これに伴い、スクリーン２が下桟５を上方に引っ張り、下桟５が上方に移動する。このように、スクリーン２は、上桟４と下桟５を用いて、様々な態様で開閉される。また、スクリーン２の開閉時には、上桟４の端部４Ａが上桟ガイド３０の第２壁部３３に接触して第２壁部３３によりガイドされてもよい。
【符号の説明】
【００４５】
１・・・スクリーン装置、２・・・スクリーン、３・・・スクリーン枠、４・・・上桟、５・・・下桟、１０・・・窓枠、１１・・・開口部、１２・・・窓上枠、１３・・・窓下枠、１４・・・窓縦枠、１５・・・開閉窓、１６・・・障子、２０・・・上枠、２１・・・縦枠、２２・・・ファスナ半体、２３・・・エレメント、２４・・・インナーレール、２５・・・スリット、２６・・・中空部、２７・・・スクリーン移動部、２８・・・下桟ガイド、３０・・・上桟ガイド、３１・・・溝部、３２・・・第１壁部、３３・・・第２壁部、３５・・・上桟キャップ、３６・・・突起部、３７・・・当接部、４０・・・下桟キャップ、４１・・・摺動部、４２・・・係止部、４３・・・被保持部、４４・・・係止凹部、４６・・・下桟保持部、４７・・・縦枠キャップ、４８・・・係止凸部、５０・・・折り返し部材、５１・・・ベース部材、５２・・・巻き掛け部、５３・・・ガイド部、５４・・・当接部、６０・・・カバー部材、６１・・・通路部、Ｒ・・・室内側、Ｓ・・・室外側。
【図１】
0006456798.tif 000002
【図２】
0006456798.tif 000003
【図３】
0006456798.tif 000004
【図４】
0006456798.tif 000005
【図５】
0006456798.tif 000006
【図６】
0006456798.tif 000007
【図７】
0006456798.tif 000008
【図８】
0006456798.tif 000009
【図９】
0006456798.tif 000010
【図１０】
0006456798.tif 000011
【図１１】
0006456798.tif 000012
【図１２】
0006456798.tif 000013